(57)【要約】【課題】光源の配置位置に応じて光源の配列密度または光源への供給電力に高低差を設けなくても、所望の面内輝度分布を実現すること。【解決手段】光学シート部１２０は、光透過性を有する一つ以上の光学シートから成る。光源部１１０は、光学シート部１２０の入射面に対向する光源面上に配置された複数のＬＥＤ１１１を含み、光学シート部１２０の入射面に向けて発光する。反射シート１１３は、光学シート部１２０の入射面からの反射光を反射により光学シート部１２０の入射面に再入射させる。光学シート部１２０の拡散板１２１は、拡散板１２１の中央部と周辺部との間で透過率に高低差が設けられた透過率分布層を有する。【選択図】図１
2012018879.tif 000002
【特許請求の範囲】
【請求項１】
光透過性を有する一つ以上の光学シートから成る光学シート部と、
前記光学シート部の入射面に対向する所定の面上に配置された複数の光源を含み、前記入射面に向けて発光する光源部と、
前記入射面からの反射光を反射により前記入射面に再入射させる反射部材と、を有し、
前記一つ以上の光学シートのうち所定の光学シートは、前記所定の光学シートの中央部と周辺部との間で透過率に高低差が設けられた透過率分布層を有する、
面状照明装置。
【請求項２】
前記透過率分布層は、透明材料内に光拡散体を分散させて成る拡散層を含み、前記拡散層は、前記所定の光学シートの中央部では相対的に薄く且つ前記所定の光学シートの周辺部では相対的に厚い、
請求項１記載の面状照明装置。
【請求項３】
前記透過率分布層は、前記所定の光学シートの主面上に形成された反射パターンを含み、前記反射パターンの面積占有率は、前記所定の光学シートの中央部では相対的に低く且つ前記所定の光学シートの周辺部では相対的に高い、
請求項１記載の面状照明装置。
【請求項４】
前記所定の光学シートは、拡散板を含み、
前記拡散板は、透明材料内に光拡散体を分散させて成る前記透過率分布層としての第１の層と、前記第１の層を覆う透明材料から成る第２の層と、を含む積層一体型の構造を有し、
前記第１の層は、前記所定の光学シートの中央部では相対的に薄く且つ前記所定の光学シートの周辺部では相対的に厚い、
請求項１記載の面状照明装置。
【請求項５】
前記所定の光学シートは、第１および第２の拡散板を含み、
前記第１および第２の拡散板はそれぞれ、透明材料内に光拡散体を分散させて成る前記透過率分布層としての第１の層と、前記第１の層を覆う透明材料から成る第２の層と、を含む積層一体型の構造を有し、
前記第１の拡散板における前記第１の層は、前記所定の光学シートの縦方向中間部では相対的に薄く且つ前記所定の光学シートの縦方向外側部では相対的に厚く、
前記第２の拡散板における前記第１の層は、前記所定の光学シートの横方向中間部では相対的に薄く且つ前記所定の光学シートの横方向外側部では相対的に厚い、
請求項１記載の面状照明装置。
【請求項６】
光透過性を有する一つ以上の光学シートから成る光学シート部材であって、
前記一つ以上の光学シートのうち所定の光学シートは、前記所定の光学シートの中央部と周辺部との間で透過率に高低差が設けられた透過率分布層を有する、
光学シート部材。
【請求項７】
前記透過率分布層は、透明材料内に光拡散体を分散させて成る拡散層を含み、前記拡散層は、前記所定の光学シートの中央部では相対的に薄く且つ前記所定の光学シートの周辺部では相対的に厚い、
請求項６記載の光学シート部材。
【請求項８】
前記透過率分布層は、前記所定の光学シートの主面上に形成された反射パターンを含み、前記反射パターンの面積占有率は、前記所定の光学シートの中央部では相対的に低く且つ前記所定の光学シートの周辺部では相対的に高い、
請求項６記載の光学シート部材。
【請求項９】
前記所定の光学シートは、拡散板を含み、
前記拡散板は、透明材料内に光拡散体を分散させて成る前記透過率分布層としての第１の層と、前記第１の層を覆う透明材料から成る第２の層と、を含む積層一体型の構造を有し、
前記第１の層は、前記所定の光学シートの中央部では相対的に薄く且つ前記所定の光学シートの周辺部では相対的に厚い、
請求項６記載の光学シート部材。
【請求項１０】
前記所定の光学シートは、第１および第２の拡散板を含み、
前記第１および第２の拡散板はそれぞれ、透明材料内に光拡散体を分散させて成る前記透過率分布層としての第１の層と、前記第１の層を覆う透明材料から成る第２の層と、を含む積層一体型の構造を有し、
前記第１の拡散板における前記第１の層は、前記所定の光学シートの縦方向中間部では相対的に薄く且つ前記所定の光学シートの縦方向外側部では相対的に厚く、
前記第２の拡散板における前記第１の層は、前記所定の光学シートの横方向中間部では相対的に薄く且つ前記所定の光学シートの横方向外側部では相対的に厚い、
請求項６記載の光学シート部材。
【発明の詳細な説明】
【技術分野】
【０００１】
本発明は、面状照明装置およびこれに用いる光学シート部材に関する。
【背景技術】
【０００２】
液晶表示装置は、製造技術の進展により価格が低下したため、また、液晶表示装置自体の薄型軽量化、及び、表示機能における高画質化技術の開発が進んだため、急速に普及している。液晶表示装置は、パーソナルコンピュータ（ＰＣ）のモニタ、携帯電話、およびテレビ（ＴＶ）受像機などに広く用いられている。
【０００３】
上記のような液晶表示装置としては、主に反射型液晶表示装置と透過型液晶表示装置とがある。これらのうち一般的に用いられているのは透過型液晶表示装置である。透過型液晶表示装置は、バックライト装置（以下、単に「バックライト」という）と呼ばれる面状照明装置を備え、そこから照射される光を、液晶パネルにおいて空間変調して画像を形成する。
【０００４】
バックライトとしては、導光板を用いてその端面に光源を配置して一方の主面から液晶パネルに向けて光を出射するエッジ型（例えば特許文献１参照）と、液晶パネルに向けて光を出射する光源を液晶パネルの直下に配置する直下型（例えば特許文献２参照）とがある。
【０００５】
いずれも、従来、光源としては蛍光管が良く用いられているが、近年は、高効率化および低価格化の技術進展が著しい発光ダイオード（ＬＥＤ）も良く用いられるようになっている。また、いずれも、光学シート（プリズムシートおよび拡散シートなど）を用いることがある。例えば、エッジ型の場合、導光板の光出射側に光学シートが配置され、直下型の場合、液晶パネルと光源との間に光学シートおよび拡散板が配置される。
【０００６】
直下型は、ＬＥＤのような点光源を、複数の発光領域が形成されるように例えばマトリクス状に配置することができる点で、各発光領域の発光強度を映像信号と同期して個別制御するローカルエリア制御を行うのに適している。ローカルエリア制御は、液晶テレビの光コントラストと省電力とを両立することができる照明方式として期待されている。
【０００７】
液晶表示装置を主として動画観察に用いる場合、中央部が相対的に明るく周辺部が相対的に暗い輝度分布を形成することが有効となる。一般に観察者の視点は中央部に集中するので、中央部を相対的に明るくすると観察者が感じる明るさを増大させることができるからである。すなわち、バックライトの出射面内の輝度分布（以下「面内輝度分布」という）を上記のように形成すると、一定の明るさ感を達成するのに必要な総光量（電力）を低減させることができ、一定の総光量（電力）で明るさ感の高い表示を実現することができる。
【０００８】
エッジ型の場合は、導光板に付与するパターンの設定により、上記のような面内輝度分布を実現することができる。
【０００９】
直下型の場合は、上記のような面内輝度分布を実現するために、光源の配列を中央部では密にして周辺部では粗にする方法（方法Ａ）（例えば特許文献３参照）、または光源に供給する電力を中央部では高く周辺部では低くする方法（方法Ｂ）などが、考えられる。
【先行技術文献】
【特許文献】
【００１０】
【特許文献１】特開１９９７−０３４３７０号公報
【特許文献２】特開２００５−２４９９４２号公報
【特許文献３】特開２００７−３１７４２３号公報
【発明の概要】
【発明が解決しようとする課題】
【００１１】
直下型のバックライトにおいて、所望の面内輝度分布の実現方法として、光源の配置位置に応じて光源の配列密度に高低差を設ける方法（上記方法Ａ）を採用したとする。
【００１２】
この場合は、光源を均等配置した場合に比べて光源間のピッチが部分的に大きくなるので、望ましくない輝度ムラを低減させるには最大ピッチを考慮して光源面から拡散板までの距離を拡大する必要がある。これは液晶表示装置の薄型化を阻害する要因となり得る。
【００１３】
さらに、上記方法Ａの場合、ローカルエリア制御の制御単位である発光領域の面積が不均等となり、ローカルエリア制御が複雑化し得るとともに、ローカルエリア制御による高コントラスト化効果が低減し得るという問題がある。
【００１４】
また、直下型のバックライトにおいて、面内輝度分布の実現方法として、光源の配置位置に応じて光源への供給電力に高低差を設ける方法（上記方法Ｂ）を採用したとする。
【００１５】
この場合は、光源の劣化速度が光源の配置位置に依存することとなるため、使用時間の増大に伴って輝度分布に経時変化が生じるという問題がある。ＬＥＤの寿命は供給電力からの影響が顕著であるため、光源にＬＥＤを用いる場合はこの問題は顕著となる。
【００１６】
さらに、上記方法Ｂの場合、少なくとも最大電力の部分では、使用可能な定格電力の大きな光源を用いる必要があるため、光源単価が増加するという問題もある。
【００１７】
本発明の目的は、光源の配置位置に応じて光源の配列密度または光源への供給電力に高低差を設けなくても、所望の面内輝度分布を実現することができる面状照明装置、およびこれに用いる光学シート部材を提供することである。
【課題を解決するための手段】
【００１８】
本発明の面状照明装置は、光透過性を有する一つ以上の光学シートから成る光学シート部と、前記光学シート部の入射面に対向する所定の面上に配置された複数の光源を含み、前記入射面に向けて発光する光源部と、前記入射面からの反射光を反射により前記入射面に再入射させる反射部材と、を有し、前記一つ以上の光学シートのうち所定の光学シートは、前記所定の光学シートの中央部と周辺部との間で透過率に高低差が設けられた透過率分布層を有する。
【００１９】
本発明の光学シート部材は、光透過性を有する一つ以上の光学シートから成る光学シート部材であって、前記一つ以上の光学シートのうち所定の光学シートは、前記所定の光学シートの中央部と周辺部との間で透過率に高低差が設けられた透過率分布層を有する。
【発明の効果】
【００２０】
本発明によれば、光源の配置位置に応じて光源の配列密度または光源への供給電力に高低差を設けなくても、所望の面内輝度分布を実現することができる。
【図面の簡単な説明】
【００２１】
【図１】本発明の実施の形態１に係る面状照明装置の構成を示す図
【図２】図１に示す光源部を正面から見た図
【図３】図１に示す拡散板の構成の一例を示す図
【図４】図１に示す拡散板の構成の他の例を示す図
【図５】本発明の実施の形態２に係る面状照明装置の構成を示す図
【図６】図５に示す追加拡散板の構成の一例を示す図
【発明を実施するための形態】
【００２２】
以下、本発明の実施の形態について、図面を用いて詳細に説明する。
【００２３】
（実施の形態１）
図１は、本発明の実施の形態１に係る面状照明装置の構成を示す図である。
【００２４】
図１に示す面状照明装置は、光源部１１０および光学シート部（光学シート部材）１２０を有する。
【００２５】
光源部１１０は、複数のＬＥＤ１１１が基板１１２の主面上に実装された構成を有する。ＬＥＤ１１１が実装されている基板１１２の主面（以下「光源部１１０の光源面」という）は、光学シート部１２０の入射面に対向して配置され、ＬＥＤ１１１は、光学シート部１２０の入射面に向けて発光する。すなわち、光源部１１０の照射範囲が光学シート部１２０の入射面のほぼ全域をカバーするように、各ＬＥＤ１１１が発する光は、ある程度の拡散性をもって光源部１１０の光源面から光学シート部１２０の入射面に向かう方向（ｚ方向として定義する）に伝播する。
【００２６】
光源部１１０の光源面上には、反射部材としての反射シート１１３が設けられている。より具体的には、反射シート１１３は、各ＬＥＤ１１１の配置位置を除いて光源部１１０の光源面全体を覆うように、設けられている。これにより、光学シート部１２０の入射面から反射した光は、反射シート１１３により反射されて光学シート部１２０の入射面に向かって伝播し、光学シート部１２０の入射面に再入射する。
【００２７】
図２は、光源部１１０を正面（光学シート部１２０の側）から見た図である（ただし、説明の便宜上、反射シート１１３は図示せず）。
【００２８】
基板１１２は、ｘ方向（横方向）において相対的に長く且つｙ方向（縦方向）において相対的に短い矩形形状を有し、これにより矩形の光源面が規定されている。なお、光学シート部１２０に含まれる各部材も同様に矩形形状を有している。
【００２９】
ＬＥＤ１１１は、光源面の矩形の領域内で、ｘ方向およびｙ方向のそれぞれにおいてほぼ一定のピッチで配列されている。すなわち、ＬＥＤ１１１の配列密度は、各ＬＥＤ１１１の配置位置に依存せず、光源面全域において一定である。
【００３０】
ＬＥＤ１１１は、ローカルエリア制御の制御単位としての発光領域が形成されるように配列されている。図２の例では、図中の点線で区切られているように、各発光領域は２行３列のＬＥＤ１１１（つまり６個のＬＥＤ１１１）によって形成されている。前述のとおりＬＥＤ１１１の配列密度は一定であるため、全ＬＥＤ１１１が同一の供給電力で駆動されれば、全発光領域が均一の輝度で発光することとなる。
【００３１】
図１を再び参照する。光学シート部１２０は、拡散板１２１および光学シート類１２２を含む。
【００３２】
光学シート類１２２は、光透過性を有する一枚以上の光学シート（例えば、拡散シート、プリズムシートおよび偏光反射シートなど）から成る。
【００３３】
拡散板１２１は、光学シート類１２２と光源部１１０との間に配置されている。これにより、拡散板１２１の一方の主面に、光源部１１０からの光が入射するため、この主面は、光学シート部１２０の入射面を構成する。拡散板１２１に入射した光は拡散板１２１を透過し、拡散板の他方の主面から光学シート類１２２に向けて出射する。
【００３４】
拡散板１２１は、透過率が不均一に設定されている透過率分布層を有し、透過率分布層においては、その主面の中央部と周辺部との間で透過率に高低差が設けられている。
【００３５】
以下、透過率分布層について、２つの例を挙げ、より具体的に説明する。
【００３６】
図３は、透過率分布層の第１の例を説明するための図である。
【００３７】
図３に示す拡散板１２１は、透明層１２１ａと拡散層１２１ｂとを含む２層が２層押出成形法によって一体に成形された構造（積層一体型の構造）を有する。なお、製造手法は２層押出成形法に限定されないが、製造の容易性から２層押出成形法が好ましい。
【００３８】
一方、拡散層１２１ｂは、例えばアクリル（ＰＭＭＡ：Polymethyl methacrylate）樹脂のような透明材料内に、例えば拡散微粒子のような微小の光拡散体を分散させて成る。よって、拡散層１２１ｂの透過率は、透明材料のみから成る透明層１２１ａに比べて制限されている。光拡散体は透明材料内に一様な密度で分散しているが、拡散層１２１ｂの厚みが不均一となるように拡散層１２１ｂが成形され、これにより、拡散層１２１ｂの透過率が、不均一に設定されている。すなわち、拡散層１２１ｂは透過率分布層を構成する。
【００３９】
図示されているように、拡散板１２１の入射面となる一方の面は平坦面となっているが、透明層１２１ａとの界面となる他方の面は部分的な円筒状に湾曲する凹面となっている。このため、拡散層１２１ｂは、ｙ方向における中間部では相対的に薄く、且つ、ｙ方向における外側部では相対的に厚くなっている。よって、拡散層１２１ｂの透過率、すなわち拡散板１２１の透過率は、ｙ方向における中間部では相対的に高く（反射率が低い）、且つ、ｙ方向における外側部では相対的に低く（反射率が高い）なっている。
【００４０】
拡散板１２１の透過率の最大値は例えば８０％であり、拡散板１２１の透過率の最小値は例えば５０％である。
【００４１】
なお、拡散層１２１ｂの厚みの変化はなだらかであるため、透過率の変化もなだらかである。
【００４２】
そして、透明層１２１ａは、前述のとおり透明材料（例えば、拡散層１２１ｂの透明材料と同一の材料）のみから成るため、その透過率はほぼ１００％である。拡散板１２１の出射面となる一方の面は平坦面となっているが、拡散層１２１ｂとの界面となる他方の面は、拡散層１２１ｂに密着して拡散層１２１ｂを覆うように部分的な円筒状に湾曲する凸面となっている。これにより、拡散板１２１はほぼ直方体形状の薄板となる。
【００４３】
上記のように構成された拡散板１２１は、光源部１１０からの光が拡散層１２１ｂ側の主面（入射面）に入射して透明層１２１ａ側の主面（出射面）から出射するように配置されている。
【００４４】
よって、光源部１１０からの光は、拡散板１２１の入射面に入射するとき、一部の光は拡散層１２１ｂ内の光拡散体の作用により拡散板１２１から反射され、その他の光は拡散板１２１を透過する。拡散板１２１にて反射された光は、反射シート１１３によって反射され、再び拡散板１２１に入射する。このような反射および再反射が繰り返されることにより、最終的にはほぼ全ての光が拡散板１２１を透過することとなる。
【００４５】
このとき、ｙ方向における拡散板１２１の中間部では、透過率が相対的に高いため優先的に光が透過する。
【００４６】
拡散板１２１から出射した光は、透過率分布層を有しない光学シート類１２２を透過し、光学シート部１２０から出射する光は、ｙ方向における中間部では相対的に高輝度となり、且つ、ｙ方向における外側部では相対的に低輝度となる。つまり、面状照明装置の出射面において中央部（特にｙ方向における中間部）が相対的に明るく且つ周辺部（特にｙ方向における外側部）が相対的に暗い所望の面内輝度分布を、実現することができる。
【００４７】
このように、図３に示す構成を有する拡散板１２１を用いることにより、所望の面内輝度分布を、ＬＥＤ１１１の配置位置に応じてＬＥＤ１１１の配列密度またはＬＥＤ１１１への供給電力に高低差を設けなくても、実現することができる。
【００４８】
なお、図３の例では、ｙ方向において透過率の高低差が設けられるように、拡散板１２１が構成および配置されているが、ｘ方向において透過率の高低差が設けられるように拡散板１２１を構成および配置してもよい。
【００４９】
また、図３の例では、拡散層１２１ｂが部分的な円筒状に湾曲する凹面となるように、拡散板１２１が成形されているが、拡散層１２１ｂが椀状に湾曲する凹面となるように、拡散板１２１を成形してもよい。この場合、ｙ方向だけでなくｘ方向においても、透過率の高低差を設けることができ、さらに望ましい面内輝度分布を実現することができる。ただし、２層押出成形法による製造を容易に実現できる点で、図３の例が有利である。
【００５０】
図４は、透過率分布層の第２の例を説明するための図である。
【００５１】
図４に示す拡散板１２１は、透明材料内に光拡散体を分散させて成る、ほぼ直方体の薄板であり、その一方の主面上には、例えば白色インクを用いたスクリーン印刷のような手法により、多数のドットを含むパターンが反射パターン１２１ｃとして形成されている。光拡散体は透明材料内に一様な密度で分散しているが、反射パターン１２１ｃの面積占有率が不均一となるように反射パターン１２１ｃが形成され、これにより、拡散板１２１の透過率が、不均一に設定されている。すなわち、反射パターン１２１ｃは透過率分布層を構成する。
【００５２】
図示されているように、反射パターン１２１ｃに含まれるドットの径が、中央部では相対的に小さく、且つ、周辺部では相対的に大きいため、反射パターン１２１ｃの面積占有率は、中央部では相対的に低く、且つ、周辺部では相対的に高い。よって、拡散板１２１の透過率は、中央部では相対的に高く（反射率が低い）、且つ、周辺部では相対的に低く（反射率が高い）なっている。
【００５３】
したがって、拡散板１２１から出射した光は、透過率分布層を有しない光学シート類１２２を透過するため、光学シート部１２０から出射する光は、中央部では相対的に高輝度となり、且つ、周辺部では相対的に低輝度となる。つまり、図３に示す例と同様、図４に示す例においても、面状照明装置の出射面において中央部が相対的に明るく且つ周辺部が相対的に暗い所望の面内輝度分布を、実現することができる。
【００５４】
このように、図４に示す構成を有する拡散板１２１を用いることにより、所望の面内輝度分布を、ＬＥＤ１１１の配置位置に応じてＬＥＤ１１１の配列密度またはＬＥＤ１１１への供給電力に高低差を設けなくても、実現することができる。
【００５５】
なお、このような反射パターンを、光学シート類１２２に含まれる拡散シートの表面に形成してもよい。
【００５６】
（実施の形態２）
図５は、本発明の実施の形態２に係る面状照明装置の構成を示す図である。
【００５７】
なお、本実施の形態の面状照明装置は、実施の形態１で説明したものと同様の基本構成を有する。よって、実施の形態１で説明したものと同一の構成要素については同一の参照番号を付し、その詳細な説明を省略する。以下、実施の形態１との相違点を中心に説明する。
【００５８】
図５に示す面状照明装置は、実施の形態１で説明した拡散板１２１および光学シート類１２２のほかに追加拡散板２２１を含む光学シート部２２０を有する。
【００５９】
追加拡散板２２１は、拡散板１２１と同様に、透明層２２１ａ（図６参照）と透過率分布層としての拡散層２２１ｂ（図６参照）とを含む２層が２層押出成形法によって一体に成形された構造（積層一体型の構造）を有する。
【００６０】
追加拡散板２２１において、構成上、拡散板１２１と異なる点は、図６に示すように、拡散層２２１ｂの厚みがｘ方向において変化する点である。
【００６１】
よって、光源部１１０からの光は、まず追加拡散板２２１の入射面に入射する。このとき、一部の光は拡散層２２１ｂ内の光拡散体の作用により追加拡散板２２１から反射され、その他の光は追加拡散板２２１を透過する。追加拡散板２２１にて反射された光は、反射シート１１３によって反射され、再び追加拡散板２２１に入射する。このような反射および再反射が繰り返されることにより、最終的にほぼ全ての光が追加拡散板２２１を透過することとなる。
【００６２】
追加拡散板２２１から出射した光は、ｘ方向における中間部では相対的に高輝度となり、且つ、ｘ方向における外側部では相対的に低輝度となる。
【００６３】
このような輝度分布を有する追加拡散板２２１からの光は、次に拡散板１２１の入射面に入射する。このとき、一部の光は拡散層１２１ｂ内の光拡散体の作用により拡散板１２１から反射され、その他の光は拡散板１２１を透過する。拡散板１２１にて反射された光は、追加拡散板２２１の拡散層２２１ｂ内の光拡散体の作用により追加拡散板２２１から反射され、再び拡散板１２１に入射する。あるいは、拡散板１２１にて反射された光は、追加拡散板２２１をｚ方向の逆方向に透過し、前述の反射および再反射の繰り返しを経て追加拡散板２２１をｚ方向の順方向に透過し、再び拡散板１２１に入射する。最終的には、ほぼ全ての光が拡散板１２１を透過することとなる。
【００６４】
拡散板１２１から出射した光は、ｘ方向における中間部では相対的に高輝度となり、且つ、ｘ方向における外側部では相対的に低輝度となるのに加えて、ｙ方向における中間部では相対的に高輝度となり、且つ、ｙ方向における外側部では相対的に低輝度となる。
【００６５】
このような輝度分布を有する拡散板１２１からの光は、透過率分布層を有しない光学シート類１２２を透過し、光学シート部２２０から出射する光は、ｘ方向およびｙ方向の双方において、中間部では相対的に高輝度となり、且つ、外側部では相対的に低輝度となる。つまり、実施の形態１で実現した面内輝度分布よりもさらに望ましい面内輝度分布を、実施の形態１と同様の簡易な製造方法（２層押出成形法）によって、実現することができる。
【００６６】
なお、拡散板１２１および追加拡散板２２１の位置を入れ替えても同じ作用効果を実現することができる。
【００６７】
以上、本発明の各実施の形態について説明した。上記各実施の形態は、種々変更して実施することができる。
【産業上の利用可能性】
【００６８】
本発明の面状照明装置は、光源の配置位置に応じて光源の配列密度または光源への供給電力に高低差を設けなくても、所望の面内輝度分布を実現する効果を有し、液晶表示装置などのバックライトに用いて好適である。
【符号の説明】
【００６９】
１１０  光源部
１１１  ＬＥＤ
１１２  基板
１１３  反射シート
１２０、２２０  光学シート部
１２１  拡散板
１２１ａ、２２１ａ  透明層
１２１ｂ、２２１ｂ  拡散層
１２１ｃ  反射パターン
１２２  光学シート類
２２１  追加拡散板
【図１】
2012018879.tif 000003
【図２】
2012018879.tif 000004
【図３】
2012018879.tif 000005
【図４】
2012018879.tif 000006
【図５】
2012018879.tif 000007
【図６】
2012018879.tif 000008